(57)【要約】【課題】動解像度を劣化させず、絞りによるボケ味が効果的となる撮影結果を得ることができる撮像装置を提供する。【解決手段】露出制御手段として、撮像素子への入射光量を制御する絞り手段、前記撮像素子への入射光を減光するフィルタ手段及び前記撮像素子の出力信号を可変の利得で増幅する可変利得手段を有し、前記可変利得手段が露出制御を行う被写体輝度の領域（ＡＧＣ制御域）のすぐ隣りに、前記フィルタ手段が露出制御を行う領域（ＮＤ制御域）を設定している。【選択図】図５
2006135479.tif 000002
【特許請求の範囲】
【請求項１】
露出制御手段として、撮像素子への入射光量を制御する絞り手段、前記撮像素子への入射光を減光するフィルタ手段及び前記撮像素子の出力信号を可変の利得で増幅する可変利得手段を有する撮像装置において、
前記可変利得手段が露出制御を行う被写体輝度の領域のすぐ隣りに、前記フィルタ手段が露出制御を行う領域を設定したことを特徴とする撮像装置。
【請求項２】
撮像素子への入射光量を制御する絞り手段と、
前記撮像素子への入射光を減光するＮＤフィルタ手段と、
前記撮像素子から出力された信号を所定の利得で増幅する可変利得手段と、
前記絞り手段、前記ＮＤフィルタ手段および前記可変利得手段を少なくとも含み、前記撮像素子への入射光量が所定の値となるように露出制御を行う露出制御手段と、
を有し、撮影モードとして、撮影画像の被写界深度を浅い状態に維持する撮影モードを含む複数の撮影モードを選択可能な撮像装置であって、
前記露出制御手段は、撮影モードとして被写界深度を浅い状態に維持する撮影モードが選択されている場合、被写体輝度が大きくなって前記可変利得手段による露出制御ができなくなると、前記ＮＤフィルタ手段による露出制御を、前記可変利得手段以外の露出制御手段による露出制御より優先して行うことを特徴とする撮像装置。
【請求項３】
撮像素子への入射光量を制御する絞り手段と、
前記撮像素子への入射光を減光するＮＤフィルタ手段と、
前記撮像素子から出力された信号を所定の利得で増幅する可変利得手段と、
前記撮像素子の電荷蓄積期間を制御する電子シャッタ手段と、
前記撮像素子への入射光量が所定の値となるように、前記絞り手段、前記ＮＤフィルタ手段、前記可変利得手段もしくは前記電子シャッタ手段のいずれかを用いて露出制御を行う露出制御手段と、
を有し、撮影モードとして、絞り優先モードを含む複数の撮影モードを選択可能な撮像装置であって、
前記露出制御手段は、撮影モードとして前記絞り優先モードが選択されている場合、被写体輝度が大きくなって前記可変利得手段による露出制御ができなくなると、前記ＮＤフィルタ手段による露出制御を、前記電子シャッタ手段による露出制御より優先して行い、被写体輝度がさらに大きくなった際には、前記電子シャッタによる露出制御を行うことを特徴とする撮像装置。
【請求項４】
撮像素子への入射光量を制御する絞り手段と、
前記撮像素子への入射光を減光するＮＤフィルタ手段と、
前記撮像素子から出力された信号を所定の利得で増幅する可変利得手段と、
前記撮像素子の電荷蓄積期間を制御する電子シャッタ手段と、
前記撮像素子への入射光量が所定の値となるように、前記絞り手段、前記ＮＤフィルタ手段、前記可変利得手段もしくは前記電子シャッタ手段のいずれかを用いて露出制御を行う露出制御手段と、
を有し、撮影モードとして、前記電子シャッタによるシャッタ速度優先モードを含む複数の撮影モードを選択可能な撮像装置であって、
前記露出制御手段は、撮影モードとして前記シャッタ速度優先モードが選択されている場合、被写体輝度が大きくなって前記可変利得手段による露出制御ができなくなると、前記ＮＤフィルタ手段による露出制御を、前記絞り手段による露出制御より優先して行い、被写体輝度がさらに大きくなった際には、前記絞り手段による露出制御を行うことを特徴とする撮像装置。
【発明の詳細な説明】
【技術分野】
【０００１】
本発明は、絞りとは独立したＮＤフィルタを有する撮像装置に関するものである。
【背景技術】
【０００２】
撮像装置の機能として露出制御機能があるが、その一つとして、撮影効果が異なる複数の撮影モードを備え、ユーザーが任意の撮影モードを選択可能とするプログラムＡＥが挙げられる。これらの撮影モードとして、人物撮影に適した撮影条件で露出制御を行うポートレートモード、絞りやシャッタ速度をユーザーが選んだ任意の位置で固定する絞り優先モードおよびシャッタ速度優先モードが知られている。
【０００３】
ポートレートモードでは、絞りを極力開放とする露出制御を行うことで、絞りによる被写界深度を浅く維持し、絞りによるボケ味を活かした撮影が可能となる。同様に絞り優先モードでは、ユーザーの意志で絞りを制御することで、被写体に合わせて絞りによる被写界深度を自由に変更できる。また、シャッタ速度優先モードでは、動きの速い被写体を撮影する場合にシャッタ速度を高速にすることで、被写体のぶれを低減した撮影が可能となる。
【０００４】
一方、多くの撮像装置では露出制御手段として絞りが使用されている。その中でも虹彩絞りは開口形状が円形に近いため、ポートレートモードや絞り優先モードで使用した際のボケ味がより効果的となる。その他の絞りとしては二枚羽根絞りがあるが、開口形状が菱形であるため、ボケ味は虹彩絞りほど効果的ではない。
【０００５】
多くの二枚羽根絞りにはＮＤフィルタ（NeutralDensity Filter）が付いており、羽根が閉じるに従い該ＮＤフィルタが開口部を覆うことで撮像素子への入射光を減光し、高輝度下における、回折の発生を低減している。しかし、虹彩絞りの場合、構造上羽根にＮＤフィルタを付けることができないため、二枚羽根絞りと比較すると絞りによる回折が早く発生し、高輝度下で良好な撮影結果を得ることができない。そのため、絞りと独立して駆動するＮＤフィルタを制御する方法が知られている。これにより、虹彩絞りを使用した場合において、高輝度下で回折の影響を受けない撮影が可能となる。
【０００６】
二枚羽根絞りを使用した撮像装置において、撮影モードとしてポートレートモードを選択した場合を例に挙げると、図３に示す３０１〜３０３の制御線図に従って露出制御を行っている。絞り、撮像素子駆動回路（ＴＧ：Timing Generator）、可変利得回路と露出制御手段は複数あるが、任意の被写体輝度下においては、ただ一つの露出制御手段により露出制御を行っており、被写体輝度の小さい方から順に、可変利得（ＡＧＣ）回路による露出制御、電子シャッタによる露出制御、絞りによる露出制御を行う。なお、図３の縦軸は、上に行く程、ＡＧＣについては高ゲイン、電子シャッタ速度については低速シャッタ、絞りについては開放した状態をそれぞれ示す。以下の図４及び図５も同様である。
【０００７】
また、各露出制御手段は、３０１〜３０３の制御線図に従い、所定の上限値、下限値の範囲内で動作し、この範囲を越える場合は隣接する露出制御手段に遷移し、露出制御を行う。被写体輝度が大きくなる、つまり徐々に撮影環境が明るくなる場合の制御線図の動作は、以下のようになる。
【０００８】
まず、可変利得回路の利得制御で露出制御が可能な場合は、可変利得回路により制御線図３０１によって露出制御を行う。次に、被写体輝度が大きくなる方向に変化した場合、可変利得回路の利得を下限値としても露出制御オーバーである場合は、電子シャッタによる露出制御を行う制御線図３０２に遷移する。この時、絞りではなく、電子シャッタを優先して制御することで、絞りを開放状態に維持することができ、絞りによるボケ味が効果的となる。さらに被写体輝度が変化し、電子シャッタが制御の下限値に達した場合、絞りによる露出制御を行う制御線図３０３に遷移する。なお、ＮＤフィルタを用いて露出制御を行う撮像装置としては、後述する特許文献１がある。
【特許文献１】特開２００１−１４５００１号公報
【発明の開示】
【発明が解決しようとする課題】
【０００９】
しかしながら、虹彩絞りのようにＮＤフィルタが絞りと独立して制御可能な構成である場合、図４に示すように、高輝度下でＮＤフィルタ制御より電子シャッタ制御を優先して行う制御線図４０２が考えられる。これにより絞りを開放状態に維持でき、その結果、被写界深度を浅くすることが可能であるが、シャッタ速度が高速になることで動解像度の劣化が著しくなるという欠点が挙げられる。なお、図４において、４０１は可変利得の制御線図、４０３はＮＤフィルタの制御線図、４０４は絞りの制御線図である。図４の縦軸において、ＮＤフィルタについては上に行く程その挿入度が低い（退避している＝光路に入っていない）。以下の図５も同様である。
【００１０】
同様に、絞り優先モードにおいて、ＮＤフィルタが絞りと独立して制御可能な構成である場合、高輝度下で電子シャッタ制御をＮＤフィルタ制御より優先して行うと、ユーザーの選択したＦ値を維持可能であるが、動解像度の劣化した撮影結果となる。
【００１１】
また、シャッタ優先モードでは、高輝度下で絞りあるいはＮＤフィルタによる露出制御を行うが、図５のように、絞りが小絞り回折の影響の少ない所定のＦ値（絞りの制御線図５０４が横軸にぶつかった時のＦ値）に達したのち、ＮＤフィルタによる露出制御を行った場合（ＮＤフィルタの制御線図５０２）、特に低速のシャッタ速度が選択されていると、絞りが小絞り回折を発生するＦ値付近まで達する頻度が多くなり、撮影結果が回折の影響を受けやすくなるという欠点が挙げられる。なお、図５において、５０１は可変利得の制御線図、５０３は電子シャッタの制御線図、５０４は絞りの制御線図である。
【００１２】
上記の欠点を改善する手段として、ユーザーの操作によりＮＤフィルタの出し入れが可能な撮像装置において、所定のシャッタ速度あるいはＦ値となった場合、ユーザーに警告を行い、ＮＤフィルタの出し入れを促す技術が、特許文献１に開示されている。しかしこの特許文献１に開示の装置では、ユーザーが警告に従って操作を行わない場合、高速シャッタによる動解像度の劣化や小絞り回折による解像度劣化が発生してしまう虞を有していた。
【００１３】
（発明の目的）
本発明の目的は、動解像度を劣化させず、絞りによるボケ味が効果的となる撮影結果を得ることのできる撮像装置を提供しようとするものである。
【課題を解決するための手段】
【００１４】
上記目的を達成するために、請求項１に記載の発明は、露出制御手段として、撮像素子への入射光量を制御する絞り手段、前記撮像素子への入射光を減光するフィルタ手段及び前記撮像素子の出力信号を可変の利得で増幅する可変利得手段を有する撮像装置において、前記可変利得手段が露出制御を行う被写体輝度の領域のすぐ隣りに、前記フィルタ手段が露出制御を行う領域を設定した撮像装置とするものである。
【発明の効果】
【００１５】
本発明によれば、動解像度を劣化させず、絞りによるボケ味が効果的となる撮影結果を得ることのできる撮像装置を提供できるものである。
【発明を実施するための最良の形態】
【００１６】
以下の実施例に示す通りである。
【実施例】
【００１７】
図１は本発明の一実施例に係わる撮像装置の電気的構成を示すブロック図である。
【００１８】
本実施例における撮像装置は、レンズ１０１、ＮＤフィルタ１０２、絞り１０３、撮像素子１０４、撮像素子駆動回路１０５、サンプルホールド回路１０６、可変利得回路１０７、Ａ／Ｄ変換回路１０８、信号処理回路１０９、絞り駆動回路１１０、絞り位置検出回路１１１、ＮＤフィルタ駆動回路１１２、ＮＤフィルタ位置検出回路１１３、露出制御回路１１４、撮影モード切換スイッチ（ＳＷ）１１５、などから構成される。
【００１９】
撮像装置へ入射した光は、レンズ１０１、ＮＤフィルタ１０２、絞り１０３などからなる光学系を通り、撮像素子１０４上に結像し光電変換される。撮像素子駆動回路１０５はＴＧ（Timing Generator）のように撮像素子１０４に対し駆動パルスを出力し、撮像素子１０４上の蓄積電荷をアナログ信号として出力させる。撮像素子１０４から出力された信号はサンプルホールド回路１０６においてサンプルホールドされ、可変利得回路１０７へ入力される。可変利得回路１０７は入力された信号を所定の利得で増幅し出力する。可変利得回路１０７から出力された信号はＡ／Ｄ変換回路１０８でディジタル信号に変換される。
【００２０】
信号処理回路１０９は、Ａ／Ｄ変換回路１０８から入力したディジタル信号を輝度および色差信号に分離、各種処理を行い、ビデオ信号出力として生成および出力する。また、信号処理回路１０９は、分離した輝度信号から被写体の露出情報として測光値の生成を行う。測光値は露出制御回路１１４へ出力される。撮影モード切換スイッチ１１５はユーザーにより操作されるものであり、ユーザーは該撮影モード切換スイッチ１１５により、全自動撮影モード、人物撮影モード（ポートレードモード：被写界深度を浅く維持するために絞りをできるだけ開放に維持する撮影モード（但し、絞りを開放に固定するモードではない））、絞り優先モード、シャッタ優先モードなどから成る複数の撮影モードから任意の一つのモードを選択可能であり、選択された撮影モードの情報が露出制御回路１１４へ入力される。
【００２１】
露出制御回路１１４は、撮影モード切換スイッチ１１５から入力された撮影モードに応じた制御線図に従い、信号処理回路１０９から入力された測光値が所定の値となるように制御値を生成し、露出制御手段である、撮像素子駆動回路１０５、可変利得回路１０８、絞り駆動回路１１０、ＮＤフィルタ駆動回路１１２に対し出力する。撮像素子駆動回路１０５は、露出制御回路１１４から入力された制御値に応じた蓄積時間分の電荷蓄積を行うように撮像素子１０４を制御することで露出制御を行う。
【００２２】
可変利得回路１０７は、サンプルホールド回路１０６から入力されたアナログ信号を露出制御回路１１４から入力された制御値に応じた利得で増幅し、Ａ／Ｄ変換回路１０８を通じ信号処理回路１０９で得られる輝度信号の信号レベルを増減することで露出制御を行う。絞り駆動回路１１０は、露出制御回路１１４から入力された制御値に応じて絞り１０３を駆動し、撮像素子１０４の入射光量を制御することで露出制御を行う。絞り位置検出回路１１１は、絞り１０３の位置検出を行い、位置情報を露出制御回路１１４へ出力する。ＮＤフィルタ駆動回路１１２は、露出制御回路１１４から入力された制御値に応じてＮＤフィルタ１０２を駆動し、撮像素子１０４の入射光量を制御することで露出制御を行う。ＮＤフィルタ位置検出回路１１３は、ＮＤフィルタ１０２の位置検出を行い、位置情報を露出制御回路１１４へ出力する。
【００２３】
ここで、ユーザーにより撮影モード切換スイッチ１１５が操作され、撮影モードとして人物撮影モードが選択されると、露出制御回路１１４は入力された撮影モードを検出する。これにより、図５に示す人物撮影モードの制御線図が選択される。露出制御回路１１４は、選択された制御線図に従い、露出制御手段を切り換える。
【００２４】
被写体が明るくなり、被写体輝度が大きくなる状況下、つまり晴天のような環境下にあり、撮像素子１０４の光学系への入射光量が多いような状況下における露出制御回路１１４での動作について、図２のフローチャートを用い説明を行う。
【００２５】
制御線図は、任意の輝度下において、複数ある露出制御手段のうち一つを用いて露出制御を行うよう定義されており、露出制御回路１１４は制御線図（この例では、図５の制御線図）に従った動作を行う。
【００２６】
まず、ステップＳ２０１において、現時点の露出制御領域が可変利得領域（ＡＧＣ制御域）か否かを判定し、可変利得領域であればステップＳ２０２へ進み、可変利得領域でなければステップＳ２０４へ進む。ステップＳ２０２ヘ進むと、現在の可変利得回路１０７の制御値が制御の下限値に達しているか否かを判定し、達していればステップＳ２０３へ進み、達していなければステップＳ２０５へ進む。
【００２７】
ステップＳ２０３ヘ進むと、上記ステップＳ２０２の結果から可変利得回路１０７による露出制御がこれ以上できない場合であるため、露出制御領域を制御線図に従いＮＤフィルタ制御領域（ＮＤ制御域）に遷移（制御線図５０１→５０２）させ、ステップＳ２０４へ進む。ステップＳ２０４では、上記ステップＳ２０１またはステップＳ２０３の結果から、制御領域が可変利得制御以外となった場合の可変利得回路１０７の制御値生成を行う。制御の下限値を制御値として可変利得回路１０７に対しその制御値を出力し、ステップＳ２０６へ進む。
【００２８】
上記ステップＳ２０２からステップＳ２０５ヘ進んだ場合は、上記ステップＳ２０２の結果から未だ可変利得回路１０７による露出制御が可能であると判定できるので、信号処理回路１０９から入力された測光値が所定の目標値となるように、得られた測光値と目標値の差分から制御値を生成し、可変利得回路１０７へその制御値を出力し、ステップＳ２０６へ進む。
【００２９】
ステップＳ２０６では、現時点の露出制御領域がＮＤフィルタ領域か否かを判定し、ＮＤフィルタ領域であればステップＳ２０７へ進み、ＮＤフィルタ領域でなければステップＳ２０９へ進む。ＮＤフィルタ領域であるとしてステップＳ２０７ヘ進むと、ＮＤフィルタ位置検出回路１１３から入力された位置情報より現在の位置が制御の下限値に達しているか否かを判定し、達していればステップＳ２０８へ進み、達していなければステップＳ２１０へ進む。
【００３０】
ステップＳ２０８ヘ進むと、上記ステップＳ２０７の判定結果からＮＤフィルタ１０２による露出制御がこれ以上できない場合であるため、露出制御領域を制御線図に従い、電子シャッタ制御領域（シャッタ制御域）に遷移（制御線図５０２→５０３）させ、ステップＳ２０９へ進む。ステップＳ２０９では、上記ステップＳ２０６またはステップＳ２０８の結果から、制御領域がＮＤフィルタ以外となった場合のＮＤフィルタ１０２の制御値生成を行う。この時、ＮＤフィルタ位置情報が下限値となるように制御値生成を行い、その制御値をＮＤフィルタ駆動回路１１２へ出力し、ステップＳ２１１へ進む。
【００３１】
上記ステップＳ２０７からステップＳ２１０ヘ進んだ場合は、上記ステップＳ２０７の結果からＮＤフィルタ１０２による露出制御が可能であると判定できるので、信号処理回路１０９から入力された測光値が所定の目標値となるように、得られた測光値と目標値の差分から制御値を生成し、ＮＤフィルタ駆動回路１１２へその制御値を出力し、ステップＳ２１１へ進む。
【００３２】
次のステップＳ２１１では、現時点の露出制御領域が電子シャッタ制御領域か否かを判定し、電子シャッタ制御領域であればステップＳ２１２へ進み、電子シャッタ制御領域でなければステップＳ２１４へ進む。電子シャッタ制御領域であるとしてステップＳ２１２ヘ進むと、現在の撮像素子駆動回路１０５の制御値が下限値に達しているか否かを判定し、達していればステップＳ２１３へ進み、達していなければステップＳ２１５へ進む。
【００３３】
ステップＳ２１３ヘ進むと、上記ステップＳ２１２の判定結果から電子シャッタによる露出制御がこれ以上できない場合であるので、露出制御領域を制御線図に従い、絞り制御領域（絞り制御域）に遷移（線図５０３→５０４）させ、ステップＳ２１４へ進む。ステップＳ２１４では、上記ステップＳ２１１またはステップＳ２１２の結果から、制御領域が電子シャッタ以外となった場合の電子シャッタの制御値生成を行う。この時、制御値が下限値となるように制御値生成を行い、その制御値を撮像素子駆動回路１０５へ出力し、ステップＳ２１６へ進む。
【００３４】
上記ステップＳ２１２からステップＳ２１５ヘ進んだ場合は、上記ステップＳ２１２の結果から電子シャッタによる露出制御が可能であると判定できるので、信号処理回路１０９から入力された測光値が所定の目標値となるように、得られた測光値と目標値の差分から制御値を生成し、撮像素子駆動回路１０５へその制御値を出力し、ステップＳ２１６へ進む。
【００３５】
ステップＳ２１６では、現時点の露出制御領域が絞り制御領域か否かを判定し、絞り制御領域であればステップＳ２１８へ進み、絞り制御領域でなければステップＳ２１７へ進む。ステップＳ２１７ヘ進んだ場合は、上記ステップＳ２１６の結果から、絞りの制御値生成を行う。この時、絞り位置検出回路１１１から出力される絞り位置情報が下限値となるように制御値生成を行い、その制御値を絞り駆動回路１１０へ出力する。また、ステップＳ２１８ヘ進んだ場合は、上記ステップＳ２１６の結果から絞りによる露出制御が可能であると判定し、信号処理回路１０９から入力された測光値が所定の目標値となるように、得られた測光値と目標値の差分から制御値を生成し、絞り駆動回路１１０へその制御値を出力する。
【００３６】
上記実施例によれば、ＮＤフィルタ１０２が絞り１０３と独立して駆動可能な構成の撮像装置に関し、露出制御の際に絞り１０３を開放状態とすることを優先し、被写界深度の浅い撮影条件で撮影を行う撮影モードが選択された場合は、高輝度の撮影環境下では、電子シャッタおよび絞り１０３による露出制御よりもＮＤフィルタ１０２による露出制御を優先（図５の制御線図５０２を、制御線図５０３，５０４よりも優先）して行うようにしている。よって、ボケ味が効果的な撮影結果を得つつ、電子シャッタが高速になることを防ぎ、動解像度の劣化が低減された良好な撮影結果を得ることが可能となる。
【００３７】
なお、人物撮影モードでは、電子シャッタによる露出制御を省くことができる。
【００３８】
次に、絞り優先の撮影モードが選択された場合について簡単に説明する。この撮影モードが選択された場合の、上記図２や図５に対応するフローや露出時の制御線図は図示していないが、高輝度の撮影環境下では、電子シャッタによる露出制御よりもＮＤフィルタ１０２による露出制御を優先して行うことになる。もう少し詳しく説明すると、絞り優先の撮影モードが選択された場合、例えば図２のフローにおいて、ステップＳ２１６〜Ｓ２１８を省いたような一連の動作となり、制御線図については、例えば図５より制御線図５０４を省き、該図５の制御線図５０２を制御線図５０３よりも優先して行うような制御線図となる。
【００３９】
よって、絞り優先の撮影モードが選択された場合、ユーザーが選択したＦ値で適切な露出状態の撮影結果を得つつ、電子シャッタが高速になることを防ぎ、動解像度の劣化が低減された良好な撮影結果を得ることが可能となる。
【００４０】
次に、シャッタ優先の撮影モードが選択された場合について簡単に説明する。この撮影モードが選択された場合についても、上記図２や図５に対応するフローや露出時の制御線図は図示していないが、高輝度の撮影環境下では、絞り１０３による露出制御よりもＮＤフィルタ１０２による露出制御を優先して行うことになる。もう少し詳しく説明すると、シャッタ優先の撮影モードが選択された場合、例えば図２のフローにおいて、ステップＳ２１１〜Ｓ２１５を省いたような一連の動作となり、制御線図については、例えば図５より制御線図５０３を省き、該図５の制御線図５０２を制御線図５０４よりも優先して行うような制御線図となる。
【００４１】
よって、シャッタ優先の撮影モードが選択された場合、ユーザーが選択したシャッタ速度で適切な露出状態の撮影結果を得つつ、絞りが小絞りになることで発生する回折の発生を防ぎ、解像度の劣化のない良好な撮影結果を得ることが可能となる。
【図面の簡単な説明】
【００４２】
【図１】本発明の一実施例に係わる撮像装置の電気的構成を示すブロック図である。
【図２】図１の撮像装置の露出制御回路での動作を示すフローチャートである。
【図３】従来の撮像装置における二枚羽根絞りにおける制御線図である。
【図４】従来例の撮像装置における制御線図である。
【図５】本実施例に係わる制御線図である。
【符号の説明】
【００４３】
１０１    レンズ
１０２    ＮＤフィルタ
１０３    絞り
１０４    撮像素子
１０５    撮像素子駆動回路
１０６    サンプルホールド回路
１０７    可変利得回路
１０８    Ａ／Ｄ変換回路
１０９    信号処理回路
１１０    絞り駆動回路
１１１    絞り位置検出回路
１１２    ＮＤフィルタ駆動回路
１１３    ＮＤフィルタ位置検出回路
１１４    露出制御回路
１１５    撮影モード切換スイッチ
５０１    可変利得の制御線図
５０２    ＮＤフィルタの制御線図
５０３    電子シャッタの制御線図
５０４    絞りの制御線図
【図１】
2006135479.tif 000003
【図２】
2006135479.tif 000004
【図３】
2006135479.tif 000005
【図４】
2006135479.tif 000006
【図５】
2006135479.tif 000007